(57)【要約】よく知られている物体の三次元パズルであって、そのパズルは、よく知られている物体の形状を有するサポート構造と、そのよく知られている物体の描写を形成するために、そのサポート構造の外側表面に係合する複数の剛性で平面でない組合せピースとを含む。そのよく知られている物体は、ソーダ缶、ボトル、あるいは、コーヒーマグなどの飲料用コンテナでよく、あるいは、それは、よく知られている物体のリンゴ、野球用ボール、モデルカーまたはモデルでよい。パズルは、サポート構造からパズルピースを分離するための剥離メカニズムを含むことができる。
2005519702.tif 000002
【特許請求の範囲】
【請求項１】
よく知られている物体の形状のパズルであって、前記パズルが、前記よく知られている物体の形の三次元形状を持つ外側表面を有する基層と、
ほぼ均一の厚さを有し、そして、互いに組合せ、そして、前記基層の外側表面に結合されるように形成され、それによって、前記よく知られている物体の描写を完成する複数の剛性の平面でない組合せピースと、
前記基層との結合された関係から、そして、前記複数のピースの他のものとの組合された関係から前記複数のピースの少なくとも一つを剥離する手段と
を備えている、パズル。
【請求項２】
前記よく知られている物体が、ソーダ缶である、請求項１に記載のパズル。
【請求項３】
前記よく知られている物体が、野球用ボールである、請求項１に記載のパズル。
【請求項４】
前記よく知られている物体が、１個の果物である、請求項１に記載のパズル。
【請求項５】
前記よく知られている物体が、ボトルである、請求項１に記載のパズル。
【請求項６】
前記基層が、飲料を受容するように構成されるキャビティと、前記キャビティと連絡し、そして、キャップによって密閉されるように形成される開口とを含む、請求項５に記載のパズル。
【請求項７】
前記よく知られている物体が、断熱コーヒーカップである、請求項１に記載のパズル。
【請求項８】
前記基層が、開口を有するキャビティであって、前記キャビティが、飲料を受容するように構成される、開口を有するキャビティと、閉鎖可能な開口とを含む、請求項７に記載のパズル。
【請求項９】
前記パズルが、実質的に、前記よく知られている物体と同じ外側細部、形状、サイズ、感触および重量を有する、請求項１に記載のパズル。
【請求項１０】
前記複数のピースのそれぞれの内側表面が、前記基層の外側表面のそれぞれの領域にびったりと一致する、請求項１に記載のパズル。
【請求項１１】
さらに、前記基層の外側表面に結合されるように形成されるコンポーネントを備えている、請求項１に記載のパズル。
【請求項１２】
前記コンポーネントが、ボトルキャップ、蓋およびホイールの中の一つを備えている、請求項１１に記載のパズル。
【請求項１３】
装置であって、
飲料を受容するように形成されるキャビティを有するコンテナと、
前記コンテナの外側表面の凹形領域と、
互いに組合せ、そして、前記凹形領域における前記コンテナに結合されるように形成される複数の組合せパズルピースと
を備えている、装置。
【請求項１４】
前記複数のパズルピースのそれぞれが、前記凹部の深さにほぼ等しい厚さを有する、請求項１３に記載の飲料用コンテナ。
【請求項１５】
前記コンテナが、ボトルの形状である、請求項１３に記載の飲料用コンテナ。
【請求項１６】
前記コンテナが、断熱カップの形状である、請求項１３に記載の飲料用コンテナ。
【請求項１７】
前記コンテナが、ソーダ缶の形状である、請求項１３に記載の飲料用コンテナ。
【請求項１８】
物体の形をとる三次元パズルであって、
前記物体の形状に形成され、そして、その外側表面に凹形領域を有するサポート構造と、
前記凹形領域における前記サポート構造の上で互いに組合せるように形成される複数のピースと、
前記複数のピースのそれぞれを前記サポート構造に結合するための手段と；
前記複数のピースの残りとのその組合された関係から、そして、前記サポート構造とのその結合された関係から前記複数のピースの少なくとも一つを剥離するように形成されるメカニズムと
を備えている、物体の形をとる三次元パズル。
【請求項１９】
前記複数の組合せピースのそれぞれが、前記凹形領域の深さに等しい厚さを有する、請求項１８に記載のパズル。
【請求項２０】
前記物体が、野球用ボール、１個の果物、おもちゃの車両および飲料用コンテナの中から選択される、請求項１８のパズル。
【請求項２１】
さらに、前記パズルに前記よく知られている物体の重量にほぼ等しい重量を与えるために、前記サポート構造の内側に分銅を備えている、請求項１８に記載のパズル。
【請求項２２】
結合するための前記手段が、前記複数のピースのそれぞれの背面に形成されるくぼみと、前記サポート構造の外側表面に形成される対応する突出部とを備え、前記窪みが、前記突出部にスライド可能に係合するように形成される、請求項１８に記載ののパズル。
【請求項２３】
結合するための前記手段が、前記サポート構造の外側表面に形成される複数の隆起した部分と、前記複数の隆起した部分の一つにスライド可能に係合するように形成される前記複数のピースのそれぞれの背面に形成される対応する機構とを備えている、請求項１８に記載のパズル。
【請求項２４】
前記パズルが、前記物体の機能として実質的に機能するように形成される、請求項１８に記載のパズル。
【請求項２５】
前記剥離メカニズムが、前記複数のピースの第一のピースと第二のピースとの間にリンクを備え、そのために、前記第一のピースに対する内方への圧力が、前記第二のピースに対する外方への圧力を結果として生じ、前記第二のピースを前記サポート構造から押し離す、請求項１８に記載のパズル。
【請求項２６】
物体の三次元パズルを作る方法であって、
物体のモールドを作るステップと、
前記物体の類似を成型するステップであり、前記類似が、中空の内部と、ほぼ均一の厚さを持つ壁とを有する、前記物体の類似を成型するステップと、
前記類似を組合せピースに形成するステップと、
くぼみをその中に生成するために、前記ピースのそれぞれの内側表面から一部分を取り外すステップと、
前記ピースを前記類似に再組合せするステップと、
前記内部のサイズおよび形状に一致する前記中空の内部からサポート構造を成型するステップと
を備えている、物体の三次元パズルを作る方法。
【請求項２７】
さらに、取り外されたパズルを形成するために、前記ピースを前記サポート構造から取り外すステップを備えている、請求項２６に記載の方法。
【請求項２８】
前記サポート構造が、中空であり、そして、さらに、前記サポート構造の外側表面から、そして、隣接するピースとの係合から前記パズルピースの少なくとも一つを外すように形成される前記サポート構造の内側に剥離メカニズムを形成するステップを備えている、請求項２６に記載の方法。
【発明の詳細な説明】
【技術分野】
【０００１】
本発明は、パズルの分野に関し、より具体的には、三次元パズルの分野に関する。
【背景技術】
【０００２】
多数の三次元パズルは、構造的、あるいは、装飾的形状を形成するために、組合せるピースを利用している。この例は、米国特許第６，０８５，０６７号に見出され、それは、嵌め込み形ジョイントにより予め定められた三次元形状に合体される平面要素を組合せることについて記述している。
【０００３】
別の形のパズルは、装飾的および構造的要素を予め定められた三次元形状に相互に連結するために様々なコネクタ要素を利用している。米国特許第６，０１５，１５０号は、ほぼフラットな構造的および装飾的コンポーネントを含むパーツ１式であるようなこの形のパズルを示している。
【０００４】
米国特許第２，９８７，３１８号は、予め定められた形状を形成するパズルピースの突出ペッグを受容するためのベースフォームを有する三次元パズルについて記述している。これらのピースは、互いに、そして、胴体と組合せるように形成されている。これらのパズルは、予め定められた順序での組合せを必要とし、そして、現存する物体と同じ細部、形状、サイズ、感触および外観を完全には満たしていない。
【０００５】
以前のデザインの不利な点は、複雑性であり、そして、高いコストのデザインおよび製造を結果として生ずる。そのうえ、以前の三次元パズルは、実物と同じ外側細部、形状、サイズ、感触および外観を有していない。
【発明の開示】
【発明が解決しようとする課題】
【０００６】
本発明の実施例は、そのパズルが完成したと思われるのとほぼ同じ形状の三次元形状を持つサポート構造と、ほぼ均一の厚さを有し、そして、サポート構造の外側表面に結合されて、そして、その機構に一致するように形成され、それによって、よく知られている物体、あるいは、そのモデルの描写を完成する複数の剛性の平面でない組合せピースとを有する三次元パズルを提供する。そのよく知られている物体は、ソーダ缶、ボトル、あるいは、コーヒーマグなどの飲料用コンテナである。他の物体は、リンゴ、野球用ボール、チョコバー、モデルカー、販売またはディスプレイに使用可能な人気目印のモデルを含む。パズルは、サポート構造からパズルピースを分離するための剥離メカニズムを含む。
【０００７】
本発明の別の実施例は、飲料を受容するように形成されるキャビティと、そのコンテナの外側表面の凹形領域と、その凹形領域においてコンテナに結合されるように形成される複数の組合せパズルピースとを含む飲料用コンテナを提供する。
【０００８】
本発明の一つの実施例は、よく知られている物体のモールドを作るステップと、よく知られている物体の類似であり、その類似が中空に内部を有する、類似を成型するステップと、その類似を組合せピースにカットするステップと、くぼみをその中に生成するために、ピースのそれぞれの内側表面から一部分を取り外すステップと、ピースを類似に再組合せするステップと、内部の地形に一致する類似の中空の内部内にサポート構造を成型するステップとを含む三次元パズルの製造の方法を提供する。
【０００９】
代わりの方法は、少なくとも一つのパズルピースをサポート構造の外側表面から外すように形成されるサポート構造の内側に剥離メカニズムを形成するステップを含む。
【００１０】
前述のことおよび本発明の特色および利点は、同じそれらのことが、添付の図面を参照として行われる以下の詳細な説明からより良く理解されるときいっそう容易に理解されるでしょう。その図面において、同一の要素は、同一の参照符号で示されている。
【発明を実施するための最良の形態】
【００１１】
本発明の第一の実施例は、図１乃至図３を参照として説明されている。最初に、図１を参照すると、そこに示されているのは、飲料用ボトルパズル１０である。複数のパズルピース１４は、そのボトル１０の胴体１６に取り付けられて示されている。これらのピース１４のいくつかは取り外されて示されている。
【００１２】
次に、図２Ａ乃至図２Ｃおよび図３を参照すると、ボトルパズル１０は、組合された形、そして、取り外された形でそれぞれ示され、そして、その中に回転可能に取り付けられる剥離コンポーネント２０を有する構造的サポートあるいは基層１８に組合されるパズルピース１４を含んでいる。本発明の実施例によれば、構造的アセンブリ１８は、実質的に、保持および剥離装置、あるいは、コンポーネントのための設備を有する実物の縮尺模型である。
【００１３】
図２Ｂは、構造的サポート１８の外側表面２４に形成される突出部２２にきちんとスナップ留めされるパズルピース１４を詳細に示している。理想的には、そのパズルピース１４は、従来のジグソーパズルテクニックを使用して互いに組合せる。各ピース１４は、さらに、びったりとした嵌め込みで、その突出部２２をスライド可能に受容するようなサイズ及び形に形成される背面２８に形成されるくぼみ２６を含む。そのピース１４の背面２８は、さらに、基層１８の対応する外側表面と接触するように形成されている。
【００１４】
図２Ｃは、剥離コンポーネント２０が回転され、そして、カムローブ４５が剥離ピンのもとに回転するにつれて側溝４４の深さが縮小するとき、剥離ピン４８が、パズルピース１４と相互に作用し、それらを隣接するピースから、そして、突出部２２から押し離す方法を詳細に示している。
【００１５】
図３Ａおよび図３Ｂにおいて取り外されて示されているのは、構造的サポート１８と剥離コンポーネント２０である。その構造的サポート１８は、パズルピース１４が位置決めされる構造的サポート１８の外側表面２４の部分に形成される複数の突出部２２を有する。この構造的サポート１８は、剥離コンポーネント２０を保持するようなサイズに形成される中空の内部３０を含む。開口３２は、その内部３０と連絡する構造的サポート１８に形成される。
【００１６】
剥離コンポーネント２０は、下方部分３６を囲む保持溝３４を持つ円筒形状を有するように形成されている。長手方向溝３８は、下方部分３６から縮小した周辺部分４２へ延在するために下方部分３６の表面４０に形成されている。長手方向溝３８から側方に延在するのは、図２Ｃにおいて横断面で例示されるように、長手方向溝から、少なくとも一つのローブ４５を有する一連のカムを形成する側方端部セクション４６へ縮小する深さを有する四つの側溝４４である。別の方法として、剥離コンポーネント２０は、下方部分３６の全長が、側溝、あるいは、他の機構の間に入ることなく、図２Ｃに示されるのと類似する断面を有するように形成されることができる。本体部分５２よりも実質的に大きい直径のヘッド端部５０を有するピン４８は、各側溝４４に挿入され、その側溝４４は、ピン４８のヘッド端部５０を受容するようなサイズに作られる。組み立てられるとき、剥離コンポーネント２０は、その中に取り付けられるピン４８で、構造的サポート１８の内部３０に回転可能に取り付けられ、そのために、本体部分５２は、対応する開口３２の中に突出する。保持ピン４９は、構造的サポート１８の内側に適切に剥離コンポーネント２０を保持する。図２Ｃに示されるように、適切な方向、この場合、反時計方向への剥離コンポーネント２０の回転により、開口３２を通って、ピン４８を突出させ、そして、パズルピース１４を推し進め、突出部２２から分離し、そして、隣接するパズルピース１４との係合を剥離する。
【００１７】
本発明の一つの実施例によれば、図１乃至図３を参照として説明されるパズルの製造の方法は以下の通りである：物体のモールドは、実物、あるいは、アセンブリに指定されるエリアを除いて、すべての細部においてモデルの輪郭および細部に一致するように形成される。そのようなモールドは、物体、あるいは、固体成型品の外部の薄い層のみを成型するようにデザインされることができる。
【００１８】
モールドの形成に続いて、液体プラスチックが、次に、モールド内部に注入され、そして、硬化される。成型品が固体であるとき、それは、物体の外部の薄い層のみを残すように掘り抜かれる。上述の成型方法のいずれかからのその薄い層は、次に、個々のジグソーパズルピース１４にカットされる。その個々のジグソーパズルピース１４は、くぼみ２６を形成するためにドリルで穴が開けられる。そのパズルピース１４は、次に、実物に類似するジグソー部分に組合される。
【００１９】
構造的サポート１８は、次に、従来の成型テクニックを使用して、組合されたジグソーピースの内側に成型される。構造的サポート１８の成型品が硬化されると、個々のパズルピース１４は取り外される。
【００２０】
剥離コンポーネント２０は、次に、以前に掘り抜かれた構造的サポート１８の内側に成型される。剥離コンポーネント２０の成型品が硬化されると、その剥離コンポーネント２０の頂部部分は、構造的サポート１８からの剥離コンポーネント２０の分離を可能とするために、切り落とされる。
【００２１】
剥離ピン４８および保持ピン４９のための開口３２は、ドリルで穴を開けることによってなどで、構造的サポート１８に形成される。保持溝３４、長手方向溝３８および複数の側溝４４は、次に、構造的サポート１８の開口３２の位置にマッチするように、剥離コンポーネント２０の表面に機械加工される。その長手方向溝３８は、剥離コンポーネント２０のアセンブリ時、剥離ピン４８の通過を可能にする深さに機械加工されることが好ましい；そして、側溝４４は、その機械加工プロセスのスタート時、長手方向溝３８の深さから、側溝４４が剥離コンポーネント２０の表面に出会うように縮小されるポイントまで機械加工される。保持溝３４は、適所の保持ピン４９で、剥離コンポーネント２０の回転を可能にするために、剥離コンポーネント２０の表面に均一の深さに機械加工される。
【００２２】
剥離ピン４８は、構造的サポート１８の開口３２に挿入され、そして、剥離コンポーネント２０は、構造的サポート１８に組み立てられる。剥離コンポーネント２０の頂部部分が再度取り付けられ、そして、保持ピン４９は、構造的サポート１８の開口３３を通って挿入される。
【００２３】
個々のパズルピース１４は、次に、それらを隣接するパズルピース１４と、対応する突出部２２と整列されるくぼみ２６と整列させることによって、構造的サポート１８に取り付けられる。十分な圧力が、パズルピース１４を構造的サポート１８の位置にスナップ留めされるように印加される。
【００２４】
パズル１０は、ここで完成し、実物あるいはモデルの輪郭および細部にマッチする。それ自体、ラベル付けおよびパッキングの準備ができている。
【００２５】
パズルピース１４を構造的サポート１８から外すために、剥離コンポーネント２０は、剥離コンポーネント２０の機械加工された側溝４４の底表面が剥離ピン４８と接触して、構造的サポート１８の開口３２を通って外方へ剥離ピン４８を押すまで反時計方向へ回転され、それによって、図２Ｃに例示されるように、突出部２２から剥離するために、個々のパズルピース１４を推し進める。
【００２６】
再組み立ては、剥離ピン４８が構造的コンポーネント２０における対応する側溝４４に凹所を設けることを可能とされる位置に、剥離コンポーネント２０が、時計方向に回転されることを必要とする。個々のパズルピース１４は、次に、再取り付けされることが可能である。
【００２７】
上述の方法は、製造の一つの可能な方法である。他の許容可能な方法は、個々に、パズルの各ピースの射出成形するステップ、あるいは、そのピースから独立して構造的サポートを成形するステップを含む。さらなる代わりの方法は、本発明の範囲から逸脱することなく使用されることができる。
【００２８】
別の方法の剥離メカニズムは、図４Ａおよび図４Ｂに例示されている。そこに示されているのは、図１乃至図３に例示されるパズル１０に類似する飲料用ボトルの形状のパズル５４である。開口５６が設けられ、パズル５４の一つの表面からもう一つの表面へ通過している。例示された実施例において、開口５６は、底表面５３からサポート構造５１の側部表面５３に通過している。その開口は、パズル５４が組合されるとき、パズルピース１４の一つの位置に対応する位置の側部５５に現れる。剥離ロッド５８は、パズルの底部５３からわずかに突出する端部５７から開口５６を貫通し、パズル５４の側部５５とほぼ同一平面に終端する。パズル５４が組合されるとき、パズルピース１４は、開口５６の側部開口５９をカバーする。剥離ロッド５８の突出部分５７に押圧することによって、そのロッド５８は、開口５９をカバーするピース１４をパズル５４から引き離させるために、側部５５の開口５６から延在させられる。このように、パズル５４の第一のピース１４は、取り外される。第一のピース１４の位置を取り囲む追加のピース１４は、ここでは、指でサポート構造５１からてこのように動かされ、すべてのパズルピース１４が取り外されるまでこのように続ける。くぼみ６１は、サポート構造５１の底部５３における開口５６の開口６３まわりに形成されることができ、それにより、剥離ロッド５８がくぼみ６１における開口６３から突出することを可能にすると同時に、パズル５４の底部表面とほぼ同一表面のままである。
【００２９】
さらに、図４に例示されているのは、液体を含有するのに適するパズル５４に形成されるキャビティ６５である。本発明のこの実施例において、飲料は、そのキャビティ６５内に配置され、そして、そのキャビティ６５は、標準のボトルのキャップ６７を使用して閉鎖される。パズル５４は、ネジ留め式キャップか、あるいは、スナップ留め式キャップのいずれかを受容するように形成されることができる。この実施例は、たとえば、本発明の実施例によるパズルがプロモーションツールとして供給される販売キャンペーンを行うために、ソフトドリンク瓶詰め業者、あるいは、ビール瓶詰め業者によって活用されることができる。そのパズルには、瓶詰め業者の記章がつけられ、そして、大いに宣伝される製品の一部分を含有する。
【００３０】
図１乃至図４を参照として説明される本発明の実施例は、ボトルの形状で示さるのに対して、本発明によるパズルによって表示される物体は、大きい様々な物体のあらゆるものでよいということは認識されている。たとえば、図５は、パズルが一般にソフトドリンクに使用されるタイプの缶１２の形状である実施例を例示している。凹形領域６０は、パズル１２の胴体周りに設けられ、その中に、パズルピース１４は組合されている。個々のピース１４の厚さは、凹形領域６０の深さにほぼ等しい。したがって、パズル１２が完全に組合されるとき、その結果は、寸法的に精密な描写のソーダ缶である。
【００３１】
図５は、パズル１２がソーダ缶の形状である本発明の実施例を例示している。凹形領域６０は、パズル１２の周辺まわりに形成され、そして、パズルピース１４は、基層６２の上に組合されると、凹形領域に嵌め込まれる。パズルピースを基層に結合する代わりの手段は、図６を参照としていっそう詳細に説明されるように図５に例示されている。
【００３２】
図６は、パズル１２の断面であり、パズル１２の本体６２は、凹形領域６０が形成され、そして、複数のパズルピース１４が支持される基層として示されている。例示された実施例において、分銅６４は、充填されたソーダ缶のものにほぼ等しい重量およびバランスをパズル１２に与えるために設けられる。パズルピース１４のそれぞれには、ピース１４を本体６２に結合するための手段が設けられている。この実施例において、凹形領域６０は、本体６２を囲み、そして、等間隔に間隔が開けられる一連の溝、あるいは、隆起した部分６６を含む。ピース１４のそれぞれの背面に形成される気候６８は、適切にピース１４を保持するために溝にびったり係合するように形成される。親指ノッチ７０は、ピース１４の一つの取り外しを可能にするために、凹部６０の側壁７２の部分に設けられている。第一のピースが取り外される場合、複数のピース１４の続くピースは、次に、同様な方法で取り外されることができる。別の方法として、ピース１４の一つは、ギャップを設けさせ、その中に、指が挿入されて、本体６２から離して第一のピース１４を引っ張る。
【００３３】
本発明の一つの実施例によれば、本体は、図１乃至図４を参照として説明される実施例に類似する方法で製造される。別の実施例において、本体６２は、アルミニウムから形成され、そして、ソフトドリンク缶のメーカーによって一般に使用される方法を用いて製造される。その本体６２は、ソフトドリンクコンテナとして形成され、そして、アルミニウム缶の機構として形成される凹形領域６０および隆起した部分６６を有する。パズルピース１４は、独立して製造され、そして、アルミニウム本体の側部に形成される隆起した部分６６に係合するように形成され、そして、それらには、ソフトドリンクメーカーのトレードドレスがつけられる。このように、パズルが完全に組合されるとき、それは、それぞれのメーカーによって販売される標準の飲料用コンテナに類似し、そして、そのコンテナとして機能し、それはまた本発明の実施例による三次元パズルとして機能する。
【００３４】
本発明の様々な実施例は、図７乃至図１２を参照として説明されている。
【００３５】
図７は、本発明の実施例により作られ、そして、メジャーリーグの野球用ボールのサイズ、テクスチャおよびマーキングを有する三次元ジグソーパズル７４の断面図を示している。この実施例は、以前に説明されるのと同じ製造方法を利用して製造されることができる。野球用ボールのパズルは、野球用ボールのジグソーパズルピース７６の一つに取り付けられる単一のバネ仕掛けの剥離ピン７３を利用する。パズルピースを押す指、あるいは、他の圧力は、スプリング７８を圧縮し、パズルピースが構造的アセンブリ８２における凹形エリア８０に移動することを可能にする。これにより、一つ以上のジグソーパズルピース１４をそれらの構造的突出部２２から、そして、隣接するジグソーパズルピースから押し離し、残りのパズルピース１４の容易な取り外しを可能にする。スプリング７８は、圧力が解除されるとき、剥離ピン７３をそのニュウトラルの位置へ押し戻す。その剥離ピン７３は、もどり止めピン８４をスプリンツ７８の対向する端部のストップとして利用し、剥離ピン７３が構造的アセンブリ８２から完全に出てくるのを防止する。他の実施例におけるように、野球用ボールパズル７４は、それがパターンをつけられる物体にほぼ近接する重量およびバランスに内部で重みがつけられることができ、この実施例において、本物の物品のカラリングおよびマーキング、ステッチ、表面テクスチャおよび重量を完備した実際のメジャーリーグの野球用ボールと間違えられることがある物体を結果として生ずる。
【００３６】
図８Ａは、リンゴの形状における本発明により作られる三次元ジグソーパズル８６の断面図を示している。このリンゴのパズル８６は、リンゴの柄の外観を有する単一の剥離ピン８８を利用している。その柄８８を下方に押すと、一つ以上のジグソーパズルピース１４をそれらの構造的突出部から押し離し、そして、隣接するパズルピース１４から押し離し、残りのパズルピース１４の容易な取り外しを可能にする。その剥離ピン８８は、パズルピース１４が戻されるとき、典型的なリンゴの柄の特性を有するニュウトラルの位置へ円滑に移動する。この剥離ピンは、両端部のストップとしてもどり止めピン８４を利用し、剥離ピン８８が図８Ｂに例示されるように構造的アセンブリ８３から完全に出てくるのを防止する。
【００３７】
図９は、コーヒーマグの形状における本発明の実施例により作られる三次元ジグソーパズル９０の断面図を示している。このコーヒーマグパズル９０は、中空の内部９２を有し、そして、キャップ９４にネジで留め、そして、レギュラーコーヒーマグとして使用されることが可能である。そのパズル９０は、図１および図６に例示されるものに類似する方法で、中央領域のみをカバーするパズルピース１４を有することができ、あるいは、そのパズル９０は、図９Ａに例示されるように、パズル９０の外側表面全体をカバーするピースを含むことができる。
【００３８】
コーヒーマグパズル９０は、図９Ｂに例示されるように、指先９６をパズル９０のベース１００の凹形エリア９８に挿入し、そして、一つ以上のピース１４をそれらの構造的突出部２２から、そして、隣接するジグソーパズルピース１４から押し離すために外方に押すことによって取り外され、残りのパズルピース１４の容易な取り外しを可能にする。これらのコーヒーマグパズル９０は、本発明の精神と範囲とから逸脱することなく、レギュラーコーヒーマグとしてパズル９０の有用性を高めるために、ハンドルなどの機構を含むことができる。
【００３９】
図１０は、人気がある車の縮尺模型の形状で作られ、そして、オリジナル車両の類似を高めるために、ホイール１０６、バンパー１０８，１０９などの付加ピースおよび他のピースを収容するようにデザインされる構造１０４を有する部分的に取り外された三次元ジグソーパズル１０２を例示している。このパズル１０２は、リヤバンパー１０８を取り外し、そして、指の先、あるいは、構造的突出部２２および隣接するパズルピースからピース１４を押し離す他の手段を使用することによって取り外されることが可能である。
【００４０】
本発明の様々な実施例が例示され、説明されてきたが、変更は、本発明の精神と範囲とから逸脱することなく行うことができるということは理解されるべきである。たとえば、単一のパズルピースは、パズルのアセンブリのためのスタートポイントを設けるためにサポート構造に永久的に取り付けられることができる。一つの実施例を参照として説明される機構は、製造の方法および構造的サポートからのピースの剥離のための手段を含み、別の実施例のそれらと組合されることができる。さらに、他のよく知られている物体の形状および外観を有するパズルは、さらに、本発明の範囲に含まれる。前述のことから、本発明の特定の実施例は、ここでは例示のために記述されてきたが、様々な変更が、本発明の精神と範囲とから逸脱することなく行うことができるということは明らかである。それゆえ、本発明は、添付の特許請求の範囲およびそれらの同等物によるなどを除いて限定されるものではない。
【００４１】
上記の米国特許、米国特許出願公報、米国特許出願、外国特許、外国特許出願およびこの明細書に述べられる、および／または、Ａｐｐｌｉｃａｔｉｏｎ  Ｄａｔａ  Ｓｈｅｅｔ（出願データシート）にリストされる特許でない公報は、そっくりそのまま参照によりここに含まれている。
【図面の簡単な説明】
【００４２】
【図１】本発明の一般的概念を例示する一部分取り外された形状における胴体パズルピースを有する飲料用ボトルパズルの側面平面図である。
【図２Ａ】それぞれ、図１のボトルパズルの部分断面側面図および二つの拡大断面である。
【図２Ｃ】それぞれ、図１のボトルパズルの部分断面側面図および二つの拡大断面である。
【図３Ａ】それぞれ、図１のボトルパズルのサポート構造および剥離メカニズムの側面図である。
【図３Ｂ】それぞれ、図１のボトルパズルのサポート構造および剥離メカニズムの側面図である。
【図４Ａ】それぞれ、ボトルパズルの代わりの実施例おおよび剥離メカニズムの詳細の部分断面図である。
【図４Ｂ】それぞれ、ボトルパズルの代わりの実施例おおよび剥離メカニズムの詳細の部分断面図である。
【図５】ソーダ缶の形状における本発明の実施例を例示する。
【図６】図５の実施例の断面図である。
【図７】本発明の別の実施例により形成される一部分取り外された野球用ボールの側面図である。
【図８Ａ】本発明の別の実施例により形成される一部分取り外されたリンゴパズルの側面図である。
【図８Ｂ】図８Ａのリンゴパズルのプッシュピンストップアセンブリの拡大断面図である。
【図９Ａ】本発明の別の実施例により形成される一部分取り外されたコーヒーマグパズルの側面図である。
【図９Ｂ】図９Ａのコーヒーマグパズルの好ましい剥離方法の拡大断面図である。
【図１０】本発明の別の実施例により形成される一部分取り外されたモデルカーパズルの側面図である。
【符号の説明】
【００４３】
１０  飲料用ボトルパズル  １２  パズル  ソーダ缶
１４  複数のパズルピース  個々のジグソータイプパズル  パズル５４の第一のピース
１６  ボトルの胴体  １８  構造的サポート、あるいは、基層  構造的アセンブリ
２０  剥離コンポーネント  ２２  突出部  ２４  外側表面  ２６  くぼみ
２８  ピースの背面  ３０  中空の内部  ３２  対応する開口  ３３  開口
３４  保持溝  ３６  下方部分  ３８  長手方向溝  ４０  下方部分の表面
４２  縮小した周辺部分  ４４  四つの側溝  ４５  カムローブ
４８  剥離ピン  ４９  保持ピン  ５０  ピンのヘッド端部
５１  サポート構造  ５２  ピンの本体部分
５３  サポート構造の底部表面  ５４  パズル  ５５  サポート構造の側部表面
５６  開口  ５７  剥離ロッドの突出部分  ５８  剥離ロッド  ５９  側部開口
６０  凹形領域  ６１  くぼみ  ６２  基層  本体  ６３  開口５６の開口
６４  分胴  ６５  キャビティ  ６６  一連の溝、あるいは、隆起した部分
６７  標準のボトルキャップ  ６８  機構  ７０  親指ノッチ  ７２  凹部の側壁
７３  剥離ピン  ７４  三次元ジグソーパズル
７６  野球用ボールジグソーパズルピース  ７８  スプリング
８０  凹形エリア  ８２  構造的アセンブリ  
８４  もどり止めピン
８６  三次元ジグソーパズル  ８８  単一の剥離ピン  ８８  柄
９０  三次元ジグソーパズル  コーヒーマグパズル
９２  中空の内部  ９４  キャップ
９６  指先  ９８  凹形エリア
１００  パズルのベース  １０２  部分的に取り外された三次元ジグソーパズル
１０４  構造  １０６  ホイール  １０８  リヤバンパー  １０９  バンパー
【図１】
2005519702.tif 000003
【図５】
2005519702.tif 000004
【図２Ａ】
2005519702.tif 000005
【図２Ｂ】
2005519702.tif 000006
【図２Ｃ】
2005519702.tif 000007
【図３Ａ】
2005519702.tif 000008
【図３Ｂ】
2005519702.tif 000009
【図４Ａ】
2005519702.tif 000010
【図４Ｂ】
2005519702.tif 000011
【図６】
2005519702.tif 000012
【図７】
2005519702.tif 000013
【図８Ａ】
2005519702.tif 000014
【図８Ｂ】
2005519702.tif 000015
【図９Ａ】
2005519702.tif 000016
【図９Ｂ】
2005519702.tif 000017
【図１０】
2005519702.tif 000018
【国際調査報告】
2005519702.tif 000019
2005519702.tif 000020
2005519702.tif 000021